(57)【特許請求の範囲】
【請求項１】
スイミングキャップであって、
スイミングキャップ本体と、
前記スイミングキャップ本体の前頭部から頭頂部をへて後頭部にかけて形成されるとともに、水泳時の水の流れ方向と平行に延びる複数の凸条部または凹条部からなる第１の凸条群または第１の凹条群と、
前記スイミングキャップ本体において前記第１の凸条群または前記第１の凹条群の左右両側に配置され、それぞれ前記スイミングキャップ本体の前頭部から側頭部をへて後頭部にかけて形成されるとともに、水泳時の水の流れ方向と平行に延びる複数の凸条部または凹条部からなる第２，第３の凸条群または第２，第３の凹条群と、
を備えたスイミングキャップ。
【請求項２】
請求項１に記載のスイミングキャップにおいて、
前記第１ないし第３の凸条群または前記第１ないし第３の凹条群を構成する前記各凸条部または前記各凹条部が、前記スイミングキャップ本体の前頭部または頭頂部に配置された放射点を中心として放射状に延びている、
ことを特徴とするスイミングキャップ。
【請求項３】
請求項２に記載のスイミングキャップにおいて、
前記放射点が、前記スイミングキャップ本体の前記側頭部の下縁中央の点を中心として前記スイミングキャップ本体の下縁から上方に測った角度２０〜９０度の範囲内に配置されている、
ことを特徴とするスイミングキャップ。
【請求項４】
請求項２に記載のスイミングキャップにおいて、
前記放射点が、前記スイミングキャップ本体の前記側頭部の下縁中央の点を中心として前記スイミングキャップ本体の下縁から上方に測った角度４５〜６５度の範囲内に配置されている、
ことを特徴とするスイミングキャップ。
【請求項５】
スイミングキャップであって、
スイミングキャップ本体と、
前記スイミングキャップ本体の前頭部から頭頂部をへて後頭部にかけて形成されるとともに、水泳時の水の流れ方向と平行に延びる複数の凸条部または凹条部からなる第１の凸条群または第１の凹条群と、
前記スイミングキャップ本体において前記第１の凸条群または前記第１の凹条群の左右両側に配置され、それぞれ前記スイミングキャップ本体の前頭部から側頭部をへて後頭部にかけて形成されるとともに、水泳時の水の流れ方向と平行に延びる複数の凸条部または凹条部からなる第２，第３の凸条群または第２，第３の凹条群とを備え、
前記第１ないし第３の凸条群または前記第１ないし第３の凹条群を構成する前記各凸条部または前記各凹条部が、前記スイミングキャップ本体の前頭部に配置された放射点を中心として放射状に延びるとともに、
前記第２，第３の凸条群または前記第２，第３の凹条群を構成する前記各凸条部または前記各凹条部は、その前側部分が前記スイミングキャップ本体の下縁部と交差する斜め上方に延びるとともに、後側部分が前記前側部分の末端から屈曲して前記スイミングキャップ本体の前記下縁部と平行に延びている、
ことを特徴とするスイミングキャップ。
【請求項６】
請求項１に記載のスイミングキャップにおいて、
前記第１ないし第３の凸条群または前記第１ないし第３の凹条群を構成する前記各凸条部または前記各凹条部が、前記スイミングキャップ本体の前頭部から後頭部にかけて連続して形成されている、
ことを特徴とするスイミングキャップ。
【請求項７】
請求項１に記載のスイミングキャップにおいて、
前記第１ないし第３の凸条群または前記第１ないし第３の凹条群を構成する前記各凸条部または前記各凹条部が、前記スイミングキャップ本体の前頭部から後頭部にかけて断続的に形成されている、
ことを特徴とするスイミングキャップ。
【請求項８】
請求項１に記載のスイミングキャップにおいて、
前記第１ないし第３の凸条群または前記第１ないし第３の凹条群を構成する前記各凸条部または前記各凹条部により形成される溝部が、矩形状、台形状、三角形状または円弧状の断面を有している、
ことを特徴とするスイミングキャップ。
【請求項９】
請求項８に記載のスイミングキャップにおいて、
前記溝部の断面形状が、深さ２０〜４００μｍ、幅５０〜１０００μｍ、ピッチ１００〜２０００μｍで形成されている、
ことを特徴とするスイミングキャップ。
【請求項１０】
請求項１ないし９のいずれかに記載のスイミングキャップにおいて、
前記スイミングキャップ本体の前記後頭部には、複数の突起からなる突起群が形成されている、
ことを特徴とするスイミングキャップ。
【請求項１１】
請求項１０に記載のスイミングキャップにおいて、
前記突起が１．０〜３．０ｍｍの径を有している、
ことを特徴とするスイミングキャップ。
【請求項１２】
請求項１０に記載のスイミングキャップにおいて、
前記突起が約２．０ｍｍの径を有している、
ことを特徴とするスイミングキャップ。
【請求項１３】
請求項１０ないし１２のいずれかに記載のスイミングキャップにおいて、
前記突起の高さが０．５〜２．０ｍｍである、
ことを特徴とするスイミングキャップ。
【請求項１４】
請求項１０ないし１２のいずれかに記載のスイミングキャップにおいて、
前記突起の高さが約１．０ｍｍである、
ことを特徴とするスイミングキャップ。
【請求項１５】
請求項１０に記載のスイミングキャップにおいて、
前記突起群を構成する各突起が、水泳時の水の流れ方向に対して千鳥状に配列されている、
ことを特徴とするスイミングキャップ。
【請求項１６】
請求項１ないし１５のいずれかに記載のスイミングキャップにおいて、
前記スイミングキャップ本体、および前記第１ないし第３の凸条群または前記第１ないし第３の凹条群が、ドーム状の金型を用いて一体成形されている、
ことを特徴とするスイミングキャップ。
【発明の詳細な説明】
【０００１】
【発明の属する技術分野】
本発明は、スイミングキャップにおいて、水泳時の抵抗を削減させる技術に関する。
【０００２】
【従来の技術およびその課題】
１／１００秒のタイムを争う水泳競技においては、競泳時に生じる抵抗をいかに削減させるかが重要な課題になっており、その抵抗の中で泳者の頭部の抵抗が占める割合は比較的大きく、スイミングキャップの抵抗削減は記録向上に欠かせないものになっている。
【０００３】
一般に、水泳競技において、競泳中に泳者が受ける抵抗は、表面摩擦抵抗、形状抵抗および造波抵抗の総和であるが、これらの抵抗の中でスイミングキャップが影響を受けるのは、主に表面摩擦抵抗および形状抵抗である。
【０００４】
スイミングキャップの表面摩擦抵抗を低減させる技術としては、実公平５−３８００６号公報に示すようなものが提案されており、同公報に示すものでは、水泳時の水の流れ方向と平行な方向に微細な凹凸条を有する非通気通水性シートをスイミングキャップの一部に設けており、これにより、スイミングキャップの表面を流れる水流を整流して抵抗を低減させようとしている。
【０００５】
しかしながら、上記公報では、頭頂部を通って前後方向に帯状に延びる凹凸条が形成されたスイミングキャップが示されているだけであり、この帯状の凹凸条のみでは競泳時における抵抗（すなわち、表面摩擦抵抗）の低減には、十分ではない。また、この場合には、凹凸条の占める割合がスイミングキャップ全体の表面積の１０％程度しかないので、十分な整流効果が得られない。
【０００６】
その一方、スイミングキャップの形状抵抗を低減させる技術としては、特開平１０−１８１２０号公報に示すようなものが提案されている。同公報に示すものでは、微細な突起からなる突起群をスイミングキャップの後頭部に設けており、これにより、スイミングキャップの表面を流れる水流を乱して乱流とし、水流の剥離位置を後退させて、形状抵抗を低減させようとしている。
【０００７】
しかしながら、上記公報に示すものでは、形状抵抗の低減を主目的としているため、スイミングキャップの表面を流れる水流を整流させることについては全く考慮されていない。
【０００８】
本発明は、このような従来の実情に鑑みてなされたもので、表面摩擦抵抗を効果的に低減できるスイミングキャップを提供することを目的とする。本発明の他の目的は、スイミングキャップにおいて、表面摩擦抵抗を効果的に低減させつつ、整流作用と相俟って形状抵抗を低減させることにある。
【０００９】
【課題を解決するための手段】
請求項１の発明に係るスイミングキャップは、スイミングキャップ本体と、前記スイミングキャップ本体の前頭部から頭頂部をへて後頭部にかけて形成されるとともに、水泳時の水の流れ方向と平行に延びる複数の凸条部または凹条部からなる第１の凸条群または第１の凹条群と、前記スイミングキャップ本体において前記第１の凸条群または前記第１の凹条群の左右両側に配置され、それぞれ前記スイミングキャップ本体の前頭部から側頭部をへて後頭部にかけて形成されるとともに、水泳時の水の流れ方向と平行に延びる複数の凸条部または凹条部からなる第２，第３の凸条群または第２，第３の凹条群とを備えている。
【００１０】
請求項２の発明に係るスイミングキャップは、請求項１において、前記第１ないし第３の凸条群または前記第１ないし第３の凹条群を構成する前記各凸条部または前記各凹条部が、前記スイミングキャップ本体の前頭部または頭頂部に配置された放射点を中心として放射状に延びていることを特徴としている。
【００１１】
請求項３の発明に係るスイミングキャップは、請求項２において、前記放射点が、前記スイミングキャップ本体の前記側頭部の下縁中央の点を中心として前記側頭部の下縁から上方に測った角度２０〜９０度の範囲内に配置されていることを特徴としている。
【００１２】
請求項４の発明に係るスイミングキャップは、請求項２において、前記放射点が、前記スイミングキャップ本体の前記側頭部の下縁中央の点を中心として前記側頭部の下縁から上方に測った角度４５〜６５度の範囲内に配置されていることを特徴としている。
【００１３】
請求項５の発明に係るスイミングキャップは、スイミングキャップ本体と、前記スイミングキャップ本体の前頭部から頭頂部をへて後頭部にかけて形成されるとともに、水泳時の水の流れ方向と平行に延びる複数の凸条部または凹条部からなる第１の凸条群または第１の凹条群と、前記スイミングキャップ本体において前記第１の凸条群または前記第１の凹条群の左右両側に配置され、それぞれ前記スイミングキャップ本体の前頭部から側頭部をへて後頭部にかけて形成されるとともに、水泳時の水の流れ方向と平行に延びる複数の凸条部または凹条部からなる第２，第３の凸条群または第２，第３の凹条群とを備えている。そして、前記第１ないし第３の凸条群または前記第１ないし第３の凹条群を構成する前記各凸条部または前記各凹条部が、前記スイミングキャップ本体の前頭部に配置された放射点を中心として放射状に延びている。さらに、前記第２，第３の凸条群または前記第２，第３の凹条群を構成する前記各凸条部または前記各凹条部は、その前側部分が前記スイミングキャップ本体の下縁部と交差する斜め上方に延びるとともに、後側部分が前記前側部分の末端から屈曲して前記スイミングキャップ本体の前記下縁部と平行に延びている。
【００１４】
請求項６の発明に係るスイミングキャップは、請求項１において、前記第１ないし第３の凸条群または前記第１ないし第３の凹条群を構成する前記各凸条部または前記各凹条部が、前記スイミングキャップ本体の前頭部から後頭部にかけて連続して形成されていることを特徴としている。
【００１５】
請求項７の発明に係るスイミングキャップは、請求項１において、前記第１ないし第３の凸条群または前記第１ないし第３の凹条群を構成する前記各凸条部または前記各凹条部が、前記スイミングキャップ本体の前頭部から後頭部にかけて断続的に形成されていることを特徴としている。
【００１６】
請求項８の発明に係るスイミングキャップは、請求項１において、前記第１ないし第３の凸条群または前記第１ないし第３の凹条群を構成する前記各凸条部または前記各凹条部により形成される溝部が、矩形状、台形状、三角形状または円弧状の断面を有していることを特徴としている。
【００１７】
請求項９の発明に係るスイミングキャップは、請求項８において、前記溝部の断面形状が、深さ２０〜４００μｍ、幅５０〜１０００μｍ、ピッチ１００〜２０００μｍで形成されていることを特徴としている。
【００１８】
請求項１０の発明に係るスイミングキャップは、請求項１ないし９のいずれかにおいて、複数の突起からなる突起群が前記スイミングキャップ本体の前記後頭部に形成されていることを特徴としている。
【００１９】
請求項１１の発明に係るスイミングキャップは、請求項１０において、前記突起が１．０〜３．０ｍｍの径を有していることを特徴としている。
【００２０】
請求項１２の発明に係るスイミングキャップは、請求項１０において、前記突起が約２．０ｍｍの径を有していることを特徴としている。
【００２１】
請求項１３の発明に係るスイミングキャップは、請求項１０ないし１２のいずれかにおいて、前記突起の高さが０．５〜２．０ｍｍであることを特徴としている。
【００２２】
請求項１４の発明に係るスイミングキャップは、請求項１０ないし１２のいずれかにおいて、前記突起の高さが約１．０ｍｍであることを特徴としている。
【００２３】
請求項１５の発明に係るスイミングキャップは、請求項１０において、前記突起群を構成する各突起が、水泳時の水の流れ方向に対して千鳥状に配列されていることを特徴としている。
【００２４】
請求項１６の発明に係るスイミングキャップは、請求項１ないし１５のいずれかにおいて、前記スイミングキャップ本体、および前記第１ないし第３の凸条群または前記第１ないし第３の凹条群が、ドーム状の金型を用いて一体成形されていることを特徴としている。
【００２５】
ところで、本件出願に係る発明者らは、人頭ダミーを用いた流水テストを行った結果、競泳中に泳者の頭部表面を流れる水流が、前頭部から頭頂部をへて後頭部にかけて流れる前後方向の流れと、前頭部から両側頭部をへて後頭部にかけて流れる前後方向の流れとを有していることが分かった。
【００２６】
請求項１の発明は、このようなテスト結果に基づいてなされたものであって、請求項１の発明に係るスイミングキャップによれば、スイミングキャップの頭頂部を通って水流方向と平行に第１の凸（凹）条群が形成されるとともに、その左右両側において側頭部を通り水流方向と平行に第２，第３の凸（凹）条群が形成されている。
【００２７】
この場合には、第１の凸（凹）条群により、スイミングキャップの頭頂部をとおって前後方向に流れる水流が整流されて表面摩擦抵抗が低減されるのみならず、第２，第３の凸（凹）条群により、スイミングキャップの側頭部をとおって前後方向に流れる水流をも整流されて、表面摩擦抵抗が低減される。これにより、競泳時において、スイミングキャップ全体の表面摩擦抵抗を効果的に低減させることができる。
【００２８】
一方、上記流水テスト結果をさらに詳細に検討すると、競泳中に泳者の前頭部に衝突した水流は、後頭部に向かって放射状に流れることも分かった。
【００２９】
請求項２の発明は、このような観点からなされたもので、第１ないし第３の凸（凹）条群を構成する各凸（凹）条部が、スイミングキャップ本体の前頭部または頭頂部に配置された放射点を中心として放射状に延びている。この放射点は、競泳中に泳者の頭部に当たる水流の中心点に対応している。したがって、この場合には、スイミングキャップの前頭部または頭頂部に当たって頭頂部側に流れる水流と、両側頭部側に流れる水流との双方に対して、効果的に整流作用を及ぼすことができ、その結果、競泳時において、スイミングキャップ全体の表面摩擦抵抗をより効果的に低減させることができる。
【００３０】
なお、請求項２の発明においては、第１ないし第３の各凸（凹）条群の間に別の凸（凹）条群を配設することによって、スイミングキャップ本体のほぼ全面に凸（凹）条群が形成されるようにしてもよい。
【００３１】
上記放射点の上下方向の位置は、上記流水テスト結果の考察により、請求項３の発明に記載されているように、スイミングキャップ本体の側頭部の下縁中央の点を中心として側頭部の下縁から上方に測った角度２０〜９０度の範囲内に配置されているのが好ましいが、この角度は、請求項４の発明に記載されているように、角度４５〜６５度の範囲内が最適である。
【００３２】
請求項５の発明に係るスイミングキャップによれば、スイミングキャップの頭頂部を通って水流方向と平行に第１の凸（凹）条群が形成され、その左右両側において側頭部を通り水流方向と平行に第２，第３の凸（凹）条群が形成されるとともに、第１ないし第３の凸（凹）条群を構成する各凸（凹）条部が、スイミングキャップ本体の前頭部に配置された放射点を中心として放射状に延びており、さらに、第２，第３の凸（凹）条群を構成する各凸（凹）条部の前側部分がスイミングキャップ本体の下縁部と交差する斜め上方に延びるとともに、後側部分が前側部分の末端から屈曲して前記スイミングキャップ本体の下縁部と平行に延びている。
【００３３】
この場合には、請求項２の発明と同様に、スイミングキャップの表面を前後方向に流れる水流のほとんどすべてが整流されることによって、競泳時において、スイミングキャップ全体の表面摩擦抵抗をより効果的に低減させることができるばかりでなく、とくに平泳ぎやクロールなどのように、競泳中に泳者の頭の入水角度が変化した場合にも整流作用を発揮することができる。すなわち、第２，第３の凸（凹）条群を構成する各凸（凹）条部の後側部分が、前側部分の末端から屈曲してスイミングキャップ本体の下縁部と平行に延びていることにより、泳者の頭が競泳中に水面から浮き上がっている場合に、この後側部分によって側頭部を流れる水流を整流することができる。
【００３４】
第１ないし第３の凸（凹）条群を構成する各凸（凹）条部は、請求項６の発明に記載されているように、スイミングキャップ本体の前頭部から後頭部にかけて連続して形成されているのが好ましいが、請求項７の発明に記載されているように、スイミングキャップ本体の前頭部から後頭部にかけて断続的に形成されていてもよい。
【００３５】
第１ないし第３の凸（凹）条群を構成する各凸（凹）条部により形成される溝部は、請求項８の発明に記載されているように、矩形状、台形状、三角形状または円弧状の断面を有している。
【００３６】
前記溝部の断面形状は、請求項９の発明に記載されているように、深さ２０〜４００μｍ、幅５０〜１０００μｍ、ピッチ１００〜２０００μｍで形成されているのが好ましい。
【００３７】
請求項１０の発明では、スイミングキャップ本体の前頭部から後頭部にかけて前後方向に形成された第１ないし第３の凸（凹）条群の他に、スイミングキャップ本体の後頭部に、複数の突起からなる突起群が形成されている。この場合には、スイミングキャップの表面を流れる水流が、前頭部から後頭部にかけて整流されてこの整流作用により表面摩擦抵抗を低減できるとともに、後頭部の突起群により乱されることによって乱流となり、水流のスイミングキャップからの剥離位置が後退して、形状抵抗を低減できる。
【００３８】
しかも、この場合には、スイミングキャップの前頭部および頭頂部側で整流された水流が後頭部に流入するので、後頭部側で効果的に（たとえば、前後方向および左右方向の所望位置において）乱流を発生させて、水流の剥離位置を設定することが可能となる。これにより、乱流の制御が容易になる。
【００３９】
突起の径は、上記流水テストの結果等から、請求項１１の発明に記載されているように、１．０〜３．０ｍｍであることが好適であり、請求項１２の発明に記載されているように、２．０ｍｍ程度が最適であることが分かっている。
【００４０】
突起の高さは、同様に、上記流水テストの結果等から、請求項１３の発明に記載されているように、０．５〜２．０ｍｍであることが好適であり、請求項１４の発明に記載されているように、１．０ｍｍ程度が最適であることが分かっている。
【００４１】
請求項１５の発明においては、突起群を構成する各突起が、水泳時の水の流れ方向に対して千鳥状に配列されている。この場合には、スイミングキャップの表面を後頭部側に向かって流れる水流は、まず、水流方向の手前側に配置された第１列目の複数の突起に当たって、流れを乱されながら後方に流れていく。第１列目の突起に当たって流れを乱された水流は、第１列目の複数の突起に対して千鳥状に配列された第２列目の複数の突起により、さらに流れを乱されながら後方へ流れていく。このように、突起群を構成する各突起を水流方向に対して千鳥状に配置することにより、スイミングキャップの後頭部を流れる水流を一層効果的に乱すことができるようになる。
【００４２】
請求項１６の発明においては、スイミングキャップ本体および第１ないし第３の凸（凹）条群がドーム状、すなわち概略半球状の金型を用いて一体成形されている。この場合には、スイミングキャップを着用した状態に近い状態でスイミングキャップ本体の成形および第１ないし第３の凸（凹）条群の成形が行われるので、スイミングキャップの着用時にスイミングキャップにしわが発生して抵抗が増大するのを防止できるとともに、第１ないし第３の凸（凹）条群による所望の作用効果を効果的に発揮できるようになる。
【００４３】
これに対して、平板状の金型を用いて、スイミングキャップ本体および第１ないし第３の凸（凹）条群を成形した場合には、スイミングキャップの着用時にスイミングキャップにしわが発生しやすくなり、このしわが競泳時の抵抗になりかねない。またスイミングキャップにしわが発生した場合には、第１ないし第３の凸（凹）条群が所望の作用効果を発揮し得なくなるおそれがある。
【００４４】
【発明の実施の形態】
以下、本発明の実施態様を添付図面に基づいて説明する。
図１は本発明の一実施態様によるスイミングキャップの全体斜視図、図２はその正面（前面）図、図３は側面図、図４は背面（後面）図、図５は平面（上面）図、図６は凸条群の一部拡大図、図７は図６のVII-VII 線断面図、図８は図７の変形例を示す図、図９および図１０は各凸条群が放射状に拡がっている状態を説明するための図である。
【００４５】
図１ないし図５に示すように、このスイミングキャップ１は、ドーム状に立体成形されたスイミングキャップ本体２と、スイミングキャップ本体２の前頭部から頭頂部または側頭部をへて後頭部にかけて複数本配設されるとともに、それぞれ複数の凸条部から構成された凸条群３と、スイミングキャップ本体２の後頭部に設けられた複数個の突起４０からなる突起群４とを有している。
【００４６】
スイミングキャップ本体２は、シリコーン、ポリウレタン、各種ラバーなどの伸縮性を有する素材から構成されている。凸条群３は、図５に示すように、頭頂部を通る第１の凸条群３０と、その左右両側方に配置され、側頭部を通る第２，第３の凸条群３１，３２とから構成されている。
【００４７】
第１ないし第３の凸条群３０，３１，３２は、図６および図７に示すように、一定間隔を隔てて離間配置された複数本の凸条部３ａを有している。隣り合う各凸条部３ａの間には、溝部３ｂが形成されている。これら凸条部３ａおよび溝部３ｂの配設方向は、水泳時の水の流れ方向と平行になっている。また、本実施態様では、各凸条部３ａが、スイミングキャップ２の前頭部から後頭部にかけて、適当な長さごとに断続して形成されているが（図６中の隙間部分３ｃ参照）、これは連続して形成されていてもよい。なお、隙間部分３ｃの形状は、図６に示すような平面視山形形状に限定されるものではなく、横方向に直線状に延びていてもよい。
【００４８】
溝部３ｂの断面形状は、図７に示すような矩形状に限らず、台形状、三角形状または円弧状であってもよい。また、溝部の断面形状は、深さ２０〜４００μｍ、幅５０〜１０００μｍ、ピッチ１００〜２０００μｍであることが好適である。なお、ここで、ピッチとは、隣り合う溝部間の距離を意味している。
【００４９】
なお、凸条部３ａを形成するかわりに、図８に示すように、各凸条部３ａの位置に凹条部３ａ′を形成するようにしてもよい。この場合、隣り合う各凹条部３ａ′の間には、凸条部３ｂ′が形成される。また、これら凹条部３ａ′により、第１ないし第３の凹条群が構成されることになる。
【００５０】
第１ないし第３の凸条群３０，３１，３２は、図９および図１０に示すように、スイミングキャップ本体２の前頭部または頭頂部に配置された放射点Ｒから放射状に延びている。この放射点Ｒは、競泳中に泳者の頭部に当たる水流の中心点に対応している。また、放射点Ｒは、スイミングキャップ本体２の側頭部の下縁中央の点Ｏを中心としてスイミングキャップ本体２の下縁２ａから上方に測った角度２０〜９０度の範囲内に配置されているのが好ましく、この角度は、４５〜６５度の範囲内に配置されている方がより好ましい。
【００５１】
突起群４を構成する突起４０の径は、１．０〜３．０ｍｍが好適であり、２．０ｍｍ程度が最適である。突起４０の高さは、０．５〜２．０ｍｍが好適であり、１．０ｍｍ程度が最適である。また、突起群４を構成する各突起４０は、図４に明確に示されているように、水泳時の水の流れ方向に対して千鳥状に配列されている。すなわち、偏平な逆Ｖ字状に配列された第１列目の複数の突起に対して、第２列目の複数の突起が千鳥状に配列されており、同様に、第３列目の複数の突起が第２列目の複数の突起に対して千鳥状に配列されている。
【００５２】
次に、本実施態様の作用効果について説明する。
競泳中には、凸条群３のうちの第１の凸条群３０により、スイミングキャップ本体２の頭頂部をとおって前後方向に流れる水流が整流されて表面摩擦抵抗が低減されるとともに、第２，第３の凸条群３１，３２により、スイミングキャップ本体２の側頭部をとおって前後方向に流れる水流をも整流されて、表面摩擦抵抗が低減される。これにより、競泳時において、スイミングキャップ全体の表面摩擦抵抗が効果的に低減する。
【００５３】
しかも、この場合には、第１ないし第３の凸条群が、スイミングキャップ本体２の前頭部に配置された放射点Ｒを中心として放射状に延びている。これにより、スイミングキャップの前頭部に当たって頭頂部側に流れる第１の水流と、側頭部側に流れる第２の水流との双方に対して、効果的に整流作用を及ぼすことができ、その結果、競泳時において、スイミングキャップ全体の表面摩擦抵抗をより効果的に低減させることができる。
【００５４】
さらに、スイミングキャップ本体２の後頭部に複数の突起からなる突起群４が形成されているので、これらの突起群４により、スイミングキャップの表面を流れる水流が乱されることによって乱流となり、水流のスイミングキャップからの剥離位置が後退して、形状抵抗を低減できる。
【００５５】
しかも、この場合には、スイミングキャップの頭頂部および側頭部側で整流された水流が後頭部に流入することになるので、後頭部側で効果的に（たとえば、前後方向および左右方向の所望位置において）乱流を発生させて、水流の剥離位置を設定することが可能となる。これにより、乱流の制御が容易になる。
【００５６】
また、突起群４を構成する各突起４０が、水の流れ方向に対して千鳥状に配列されているので、スイミングキャップの表面を後頭部側に向かって流れる水流は、まず、水流方向の手前側に配置された第１列目の複数の突起４０に当たって、流れを乱されながら後方に流れていく。第１列目の突起４０に当たって流れを乱された水流は、第１列目の複数の突起４０に対して千鳥状に配列された第２列目の複数の突起４０により、さらに流れを乱されながら後方へ流れていく。このように、突起群４を構成する各突起４０を水流方向に対して千鳥状に配置することにより、スイミングキャップの後頭部を流れる水流を一層効果的に乱すことができるようになる。
【００５７】
本実施態様のようにスイミングキャップ本体２に第１ないし第３の凸条群３０，３１，３２と突起群４とを形成したスイミングキャップの場合と、これら凸条群および突起群を形成していない従来のスイミングキャップの場合とで、人頭ダミーを用いて同一速度の流水中で流水テストを行い、ダミーが受ける抵抗係数を比較すると、本実施態様のスイミングキャップの方が従来のスイミングキャップよりも２％抵抗が低かった。
【００５８】
さらに、この場合には、スイミングキャップ本体２および第１ないし第３の凸条群３０，３１，３２がドーム状、すなわち概略半球状の金型を用いて一体成形されているので、スイミングキャップを着用した状態に近い状態でスイミングキャップ本体２の成形および第１ないし第３の凸条群３０，３１，３２の成形が行われるようになる。これにより、スイミングキャップの着用時にスイミングキャップにしわが発生して抵抗が増大するのを防止できるとともに、第１ないし第３の凸条群３０，３１，３２による所望の作用効果を効果的に発揮させることができる。
【００５９】
これに対して、平板状の金型を用いて、スイミングキャップ本体２および第１ないし第３の凸条群３０，３１，３２を成形した場合は、スイミングキャップの着用時にスイミングキャップにしわが発生しやすくなり、このしわが競泳時の抵抗になりかねない。またスイミングキャップにしわが発生した場合には、第１ないし第３の凸条群３０，３１，３２が所望の作用効果を発揮し得なくなるおそれがある。
【００６０】
図１１は、本発明の他の実施態様によるスイミングキャップを示す側面図である。同図において、前記実施態様と同一符号は同一または相当部分を示している。
【００６１】
この実施態様では、スイミングキャップ本体２の側頭部に配設される凸条群が屈曲した形状を有している点が前記実施態様と大きく異なっている。すなわち、この場合には、第２，第３の凸条群を構成する各凸条部の前側部分３２ａがスイミングキャップ本体２の下縁２ａと交差する斜め上方に延びるとともに、後側部分３２ｂが前側部分３２ａの末端から屈曲してスイミングキャップ本体２の下縁２ａと平行に延びている。
【００６２】
この実施態様によれば、とくに平泳ぎやクロールなどのように、競泳中に泳者の頭の入水角度が変化した場合にも整流作用を発揮することができる。すなわち、側頭部の凸条部の後側部分３２ｂが、前側部分３２ａの末端から屈曲してスイミングキャップ本体の下縁２ａと平行に延びていることにより、泳者の頭が競泳中に水面から浮き上がっている場合に、この後側部分３２ｂによって側頭部を流れる水流を整流することができる。
【００６３】
なお、前記実施態様および前記他の実施態様では、スイミングキャップ本体２の一部に凸条群が形成された例を示したが、図１２に示すように、スイミングキャップ本体２のほぼ全面が凸条群によって覆われたものにも同様に本発明を適用できる。図１２では、第１ないし第３の凸条群３０，３１，３２を構成する各凸条群の間に、別の凸条群３４をほぼ隙間なく配設している。この場合には、競泳中に泳者の頭に当たって後頭部側に放射状に流れるほぼすべての水流に対して効果的に整流作用を及ぼすことが可能になる。
【００６４】
【発明の効果】
以上のように、本発明に係るスイミングキャップによれば、スイミングキャップの頭頂部を通って水流方向と平行に第１の凸（凹）条群を形成するとともに、その左右両側において側頭部を通り水流方向と平行に第２，第３の凸（凹）条群を形成するようにしたので、スイミングキャップ全体の表面摩擦抵抗を効果的に低減できる効果がある。
【００６５】
また、本発明に係るスイミングキャップによれば、スイミングキャップ本体の前頭部から後頭部にかけて前後方向に第１ないし第３の凸（凹）条群を形成するとともに、複数の突起からなる突起群をスイミングキャップ本体の後頭部に形成するようにしたので、表面摩擦抵抗を効果的に低減させつつ、整流作用と相俟って形状抵抗を低減できる効果がある。
【図面の簡単な説明】
【図１】本発明の一実施態様によるスイミングキャップの全体斜視図である。
【図２】スイミングキャップの正面（前面）図である。
【図３】スイミングキャップの側面図である。
【図４】スイミングキャップの背面（後面）図である。
【図５】スイミングキャップの平面（上面）図である。
【図６】スイミングキャップの凸条群の一部拡大図である。
【図７】図６のVII-VII 線断面図である。
【図８】図７の変形例を示す図である。
【図９】スイミングキャップの各凸条群が放射状に拡がっている状態を説明するための図である。
【図１０】スイミングキャップの各凸条群が放射状に拡がっている状態を説明するための図である。
【図１１】本発明の他の実施態様によるスイミングキャップの側面図である。
【図１２】本発明のさらに他の実施態様によるスイミングキャップの側面図である。
【符号の説明】
１：    スイミングキャップ
２：    スイミングキャップ本体
３：    凸条部
４：    突起群
２ａ：  下縁
３ａ：  凸条部
３ｂ：  溝部
３０，３１，３２，３４：  凸条群
３２ａ：  前側部
３２ｂ：  後側部
４０：  突起
Ｒ：  放射点
【図１】
0003734686.tif 000002
【図２】
0003734686.tif 000003
【図３】
0003734686.tif 000004
【図４】
0003734686.tif 000005
【図５】
0003734686.tif 000006
【図６】
0003734686.tif 000007
【図７】
0003734686.tif 000008
【図８】
0003734686.tif 000009
【図９】
0003734686.tif 000010
【図１０】
0003734686.tif 000011
【図１１】
0003734686.tif 000012
【図１２】
0003734686.tif 000013